(57)【要約】【課題】従来の地図出力装置においては、地点の知名度を知ることができない。【解決手段】地点情報を有する地図情報を格納し得る地図情報格納部と、地点情報と、地点情報に対応する知名度情報とを有する知名度管理情報を格納し得る知名度管理情報格納部と、地図出力指示を受け付ける受付部と、位置を示す位置情報を取得する位置情報取得部と、地図情報格納部から、地図出力指示、または位置情報に対応する地図情報を取得する地図情報取得部と、知名度管理情報格納部から、地図情報取得部が取得した地図情報が有する１以上の各地点情報に対応する知名度情報を取得する知名度情報取得部と、地図情報取得部が取得した地図情報が有する地点情報と、知名度情報取得部が取得した知名度情報とを対応付け、地図情報と知名度情報とを出力する出力部とを具備する地図出力装置により、地点情報と共に知名度情報を出力することができる。【選択図】図１
2012234133.tif 000002
【特許請求の範囲】
【請求項１】
地図に関する情報であり、地図上の地点を示す１以上の地点情報を有する地図情報を格納し得る地図情報格納部と、
地点情報と、当該地点情報に対応する知名度を示す情報である知名度情報とを有する知名度管理情報を格納し得る知名度管理情報格納部と、
地図情報を出力する指示である地図出力指示を受け付ける受付部と、
位置を示す情報である位置情報を取得する位置情報取得部と、
前記地図情報格納部から、前記地図出力指示、または前記位置情報に対応する地図情報を取得する地図情報取得部と、
前記知名度管理情報格納部から、前記地図情報取得部が取得した地図情報が有する１以上の各地点情報に対応する知名度情報を取得する知名度情報取得部と、
前記地図情報取得部が取得した地図情報が有する地点情報と、前記知名度情報取得部が取得した知名度情報とを対応付け、当該地図情報と知名度情報とを出力する出力部とを具備する地図出力装置。
【請求項２】
前記知名度情報は、Ｗｅｂ上の１以上のサーバ装置から取得した情報である請求項１記載の地図出力装置。
【請求項３】
知名度情報の元となる知名度元情報であり、地点情報に対応する知名度元情報をＷｅｂ上の１以上のサーバ装置から受信する知名度元情報受信部と、
前記知名度元情報受信部が受信した知名度元情報を、知名度元情報から知名度情報への変換方法を示す情報である知名度変換情報を用いて、知名度情報に変換し、当該知名度情報と前記地点情報とを対応付け、前記知名度管理情報格納部に蓄積する知名度管理情報蓄積部とをさらに具備する請求項１または請求項２記載の地図出力装置。
【請求項４】
前記知名度元情報受信部は、
前記地図情報取得部が取得した地図情報が有する地点情報に対応する知名度元情報をＷｅｂ上の１以上のサーバ装置から受信する請求項３記載の地図出力装置。
【請求項５】
前記知名度情報取得部は、
予め決められた閾値以上の知名度情報を取得する請求項１または請求項４いずれか記載の地図出力装置。
【請求項６】
記録媒体に、
地図に関する情報であり、地図上の地点を示す１以上の地点情報を有する地図情報を格納し得る地図情報と、
地点情報と、当該地点情報に対応する知名度を示す情報である知名度情報とを有する知名度管理情報が格納されており、
受付部と、位置情報取得部と、地図情報取得部と、知名度情報取得部と、出力部とを用いて行われる地図出力方法であって、
前記受付部が、地図情報を出力する指示である地図出力指示を受け付ける受付ステップと、
前記位置情報取得部が、位置を示す情報である位置情報を取得する位置情報取得ステップと、
前記地図情報取得部が、前記記録媒体から、前記地図出力指示、または前記位置情報に対応する地図情報を取得する地図情報取得ステップと、
前記知名度情報取得部が、前記記録媒体から、前記地図情報取得部が取得した地図情報が有する１以上の各地点情報に対応する知名度情報を取得する知名度情報取得ステップと、
前記出力部が、前記地図情報取得部が取得した地図情報が有する地点情報と、前記知名度情報取得部が取得した知名度情報とを対応付け、当該地図情報と知名度情報とを出力する出力ステップとを具備する地図出力方法。
【請求項７】
記録媒体に、
地図に関する情報であり、地図上の地点を示す１以上の地点情報を有する地図情報を格納し得る地図情報と、
地点情報と、当該地点情報に対応する知名度を示す情報である知名度情報とを有する知名度管理情報が格納されており、
コンピュータを、
地図情報を出力する指示である地図出力指示を受け付ける受付部と、
位置を示す情報である位置情報を取得する位置情報取得部と、
前記記録媒体から、前記地図出力指示、または前記位置情報に対応する地図情報を取得する地図情報取得部と、
前記記録媒体から、前記地図情報取得部が取得した地図情報が有する１以上の各地点情報に対応する知名度情報を取得する知名度情報取得部と、
前記地図情報取得部が取得した地図情報が有する地点情報と、前記知名度情報取得部が取得した知名度情報とを対応付け、当該地図情報と知名度情報とを出力する出力部として機能させるためのプログラム。
【発明の詳細な説明】
【技術分野】
【０００１】
本発明は、地図情報を出力する地図出力装置等に関するものである。
【背景技術】
【０００２】
従来、地図情報と共に地点情報を出力する装置等が開発されている（特許文献１参照）。
【先行技術文献】
【特許文献】
【０００３】
【特許文献１】特開２０１０−２１７２２９号公報
【発明の概要】
【発明が解決しようとする課題】
【０００４】
しかしながら、従来の地図出力装置においては、出力されている地点の知名度を知ることができない。
【課題を解決するための手段】
【０００５】
本第一の発明の地図出力装置は、地図に関する情報であり、地図上の地点を示す１以上の地点情報を有する地図情報を格納し得る地図情報格納部と、地点情報と、地点情報に対応する知名度を示す情報である知名度情報とを有する知名度管理情報を格納し得る知名度管理情報格納部と、地図情報を出力する指示である地図出力指示を受け付ける受付部と、位置を示す情報である位置情報を取得する位置情報取得部と、地図情報格納部から、地図出力指示、または位置情報に対応する地図情報を取得する地図情報取得部と、知名度管理情報格納部から、地図情報取得部が取得した地図情報が有する１以上の各地点情報に対応する知名度情報を取得する知名度情報取得部と、地図情報取得部が取得した地図情報が有する地点情報と、知名度情報取得部が取得した知名度情報とを対応付け、地図情報と知名度情報とを出力する出力部とを具備する地図出力装置である。
【０００６】
このような構成により、地点情報と共に知名度情報を出力することができる。
【０００７】
また、本第二の発明の地図出力装置は、第一の発明に対して、知名度情報は、Ｗｅｂ上の１以上のサーバ装置から取得した情報である地図出力装置である。
【０００８】
このような構成により、地点情報と共に、客観的な知名度情報を出力することができる。
【０００９】
また、本第三の発明の地図出力装置は、第一または第二の発明に対して、知名度情報の元となる知名度元情報であり、地点情報に対応する知名度元情報をＷｅｂ上の１以上のサーバ装置から受信する知名度元情報受信部と、知名度元情報受信部が受信した知名度元情報を、知名度元情報から知名度情報への変換方法を示す情報である知名度変換情報を用いて、知名度情報に変換し、知名度情報と地点情報とを対応付け、知名度管理情報格納部に蓄積する知名度管理情報蓄積部とをさらに具備する地図出力装置である。
【００１０】
このような構成により、Ｗｅｂ上の１以上のサーバ装置から受信した知名度元情報を用いて、知名度情報を取得することができる。
【００１１】
また、本第四の発明の地図出力装置は、第三の発明に対して、知名度元情報受信部は、地図情報取得部が取得した地図情報が有する地点情報に対応する知名度元情報をＷｅｂ上の１以上のサーバ装置から受信する地図出力装置である。
【００１２】
このような構成により、知名度情報をリアルタイムに取得することができる。
【００１３】
また、本第五の発明の地図出力装置は、第一または第四いずれかの発明に対して、知名度情報取得部は、予め決められた閾値以上の知名度情報を取得する地図出力装置である。
【００１４】
このような構成により、予め決められた閾値以上の知名度情報を出力することができる。
【発明の効果】
【００１５】
本発明による地図出力装置等によれば、地点情報と共に知名度情報を出力することができる。
【図面の簡単な説明】
【００１６】
【図１】実施の形態１における地図出力装置１のブロック図
【図２】同地図出力装置１の全体動作について説明するフローチャート
【図３】同知名度元情報の受信処理について説明するフローチャート
【図４】同知名度管理情報の蓄積処理について説明するフローチャート
【図５】同知名度情報の取得処理について説明するフローチャート
【図６】同地図情報の例を示す図
【図７】同地点情報の例を示す図
【図８】同知名度情報の例を示す図
【図９】同知名度情報の例を示す図
【図１０】同画像変換情報の例を示す図
【図１１】同知名度管理情報の例を示す図
【図１２】同地図情報の例を示す図
【図１３】同コンピュータシステムの概観図
【図１４】同コンピュータシステムのブロック図
【発明を実施するための形態】
【００１７】
以下、本発明による地図出力装置等の実施形態について図面を参照して説明する。なお、実施の形態において同じ符号を付した構成要素は同様の動作を行うので、再度の説明を省略する場合がある。また、所定の情報等が格納され得る格納部等において、当該格納部に情報等が記憶される過程は問わないものとする。例えば、記録媒体を介して情報等が格納部等で記憶されるようになってもよい。また、通信回線などを介して送信された情報等が格納部等で記憶されるようになってもよい。さらに、入力デバイスを介して入力された情報等が格納部等で記憶されるようになってもよい。また、本実施の形態において、検索とは、検索対象となる情報から、指定された情報を用いて、当該指定された情報に一致する情報を検知することや、当該検知した情報を取得すること、当該検知した情報に対応付けられた情報を取得することなどを意味し、広く解する。また、本実施の形態において説明する各情報の形式、内容などは、あくまで例示であり、各情報の持つ意味を示すことができれば、形式、内容などは問わない。
【００１８】
（実施の形態１）
本実施の形態において、地図情報が有する地点情報に対応する知名度情報を取得し、地図情報が有する地点情報と当該知名度情報を対応付け、地図情報と共に知名度情報を出力する地図出力装置１について説明する。
【００１９】
図１は、本実施の形態における地図出力装置１のブロック図である。地図出力装置１は、地図情報格納部１１、知名度管理情報格納部１２、受付部１３、位置情報取得部１４、地図情報取得部１５、知名度元情報受信部１６、知名度管理情報蓄積部１７、知名度情報取得部１８、出力部１９を備える。
【００２０】
地図情報格納部１１は、地図情報を格納し得る。地図情報とは、地図に関する情報である。地図は、例えば、地形図や、地勢図、地質図、土地利用図、住宅地図、路線図、道路地図、ガイドマップ、地形や道路等が把握可能な航空写真や衛星写真、当該写真に記号や文字等が記入されたものなどである。
【００２１】
地図情報は、例えば、地図の画像情報である。画像情報は、例えば、ラスタデータや、ベクタデータである。画像情報がラスタデータである場合、地図情報は、複数の縮尺に対応した画像情報を有していてもよい。複数の縮尺に対応した画像情報とは、例えば、同一地域について、縮尺が大きい画像情報や、縮尺が中程度の画像情報、縮尺が小さい画像情報などである。また、地図情報は、地図をタイル状に分割したものであってもよい。また、地図情報は、カーナビゲーションで用いられるＫＩＷＩフォーマットのものであってもよい。
【００２２】
また、地図情報は、地点情報を有する。地点情報とは、地図上の地点を示す情報である。地点情報は、地点を識別するための地点識別子や、地点の位置を示す地点位置情報などを有する。また、地点情報は、例えば、地点の種類を示す地点種類情報や、地点の色や地図情報で示される地図上の地点の色を示す地点色情報などを有していてもよい。
【００２３】
地点識別子は、例えば、地点ＩＤや、地点名称などである。地点ＩＤは、ＩＤを示すＩＤ情報である。地点名称は、名称を示す名称情報である。また、地点位置情報は、位置を示す位置情報である。位置情報は、例えば、経緯度を示す経緯度情報や、座標を示す座標情報、座標の軸を示す座標軸情報、高度を示す高度情報、距離を示す距離情報などである。
【００２４】
地図情報格納部１１は、不揮発性の記録媒体が好適であるが、揮発性の記録媒体でも実現可能である。
【００２５】
知名度管理情報格納部１２は、知名度管理情報を格納し得る。知名度管理情報とは、地点情報と、当該地点情報に対応する知名度情報とを有する情報である。知名度情報とは、地点の知名度を示す情報である。
【００２６】
知名度情報は、例えば、対応する地点名称をＷｅｂ上の検索エンジンで検索した際の検索件数（ヒット件数）や、Ｗｅｂ上のブログやＳＮＳ（Ｓｏｃｉａｌ  Ｎｅｔｗｏｒｋｉｎｇ  Ｓｅｒｖｉｃｅ）などのＣＧＭ（Ｃｏｎｓｕｍｅｒ  Ｇｅｎｅｒａｔｅｄ  Ｍｅｄｉａ）において、対応する地点に関する記事を掲載した人数（ユーザ数）、任意のＷｅｂサイトにおける対応する地点名称の出現回数、観光雑誌などにおける対応する地点の人気度、対応する地点を訪れたことのある人の人数などである。また、知名度情報は、例えば、対応する地点の、大きさや高さなどの順位や順序などを表す情報であってもよい。例えば、対応する地点が飲食店である場合、知名度情報は、当該飲食店の料理のおいしさや、店舗の清潔さ、店舗の広さなどを、１から５の５段階でランク付けしたものであってもよい。
【００２７】
また、知名度情報は、通常、数値を示す数値情報であるが、文字を示す文字情報、画像を示す画像情報、色を示す色情報などであってもよい。
【００２８】
また、知名度管理情報は、例えば、知名度元情報を有していてもよい。知名度元情報とは、知名度情報の元となる情報であり、知名度情報となり得る情報である。知名度元情報は、知名度情報と同一であってもよい。また、知名度管理情報は、通常、数値情報である。また、知名度元情報は、文字情報や、画像情報、色情報などであってもよい。また、知名度管理情報は、知名度情報の種類を示す知名度種類情報を有していてもよい。
【００２９】
なお、知名度管理情報において、地点情報と知名度情報とは、通常、１対ｎで対応付けられている。ｎは、通常、１以上である。また、知名度管理情報において、知名度情報と知名度種類情報とは、通常、１対１で対応付けられている。
【００３０】
知名度管理情報格納部１２は、不揮発性の記録媒体が好適であるが、揮発性の記録媒体でも実現可能である。
【００３１】
受付部１３は、地図出力指示を受け付ける。地図出力指示とは、地図情報を出力することに関する指示である。地図出力指示は、例えば、地図情報の表示の指示や、地図情報のスクロールの指示、地図情報の種類の変更の指示、地図情報の拡大・縮小の指示などである。
【００３２】
また、受付部１３は、地図出力指示以外の指示を受け付けてもよい。地図出力指示以外の指示とは、例えば、電源ＯＮの指示や、電源ＯＦＦの指示などである。なお、受付部１３が地図出力指示以外の指示を受け付けた場合、地図出力装置１は、通常、当該受け付けた指示に従った処理を行う。
【００３３】
また、これらの指示は、通常、ユーザの操作によるものである。当該操作は、例えば、ボタンの操作や、タッチパネルへのタップ操作、ドラッグ操作、フリック操作、ピンチアウト操作、ピンチイン操作などである。
【００３４】
また、受け付けとは、キーボードやマウス、タッチパネルなどの入力デバイスから入力された情報の受け付け、有線もしくは無線の通信回線を介して送信された情報の受信、光ディスクや磁気ディスク、半導体メモリなどの記録媒体から読み出された情報の受け付けなどを含む概念である。
【００３５】
また、出力とは、ディスプレイへの表示、プロジェクターを用いた投影、外部の装置への送信、記録媒体への蓄積、他の処理装置や他のプログラムなどへの処理結果の引渡しなどを含む概念である。なお、送信や蓄積、処理結果の引渡しについては、出力対象が最終的にユーザに提示されるものとする。
【００３６】
受付部１３における指示の入力手段は、キーボードやマウスやメニュー画面によるものなど、何でもよい。受付部１３は、キーボード等の入力手段のデバイスドライバーや、メニュー画面の制御ソフトウェアなどで実現され得る。
【００３７】
位置情報取得部１４は、位置情報を取得する。当該位置情報は、例えば、地図出力装置１の現在位置を示す現在位置情報や、地図情報の表示領域を特定する表示位置情報などである。表示位置情報は、例えば、地図情報の中心位置を示す情報や、地図情報の表示領域を示す２以上の点の位置を示す情報などである。
【００３８】
なお、位置情報の取得のタイミングは、通常、受付部１３が受け付けた指示によるが、問わない。また、位置情報の取得の方法や手順などは、公知であるので、詳細な説明を省略する。
【００３９】
位置情報取得部１４は、通常、いわゆるＧＰＳや、移動体通信用の基地局から位置情報を受信する装置などのハードウェア（専用回路）で実現され得る。また、位置情報取得部１４は、ＭＰＵやメモリ等から実現されてもよい。位置情報取得部１４の処理手順は、通常、ソフトウェアで実現され、当該ソフトウェアはＲＯＭ等の記録媒体に記録されている。
【００４０】
地図情報取得部１５は、位置情報取得部１４が取得した位置情報に対応する地図情報を、地図情報格納部１１から取得する。また、地図情報取得部１５は、受付部１３が受け付けた指示に従い、地図情報を取得してもよい。なお、地図情報の取得の方法や手順などは、公知であるので、詳細な説明を省略する。
【００４１】
地図情報取得部１５は、通常、ＭＰＵやメモリ等から実現され得る。地図情報取得部１５の処理手順は、通常、ソフトウェアで実現され、当該ソフトウェアはＲＯＭ等の記録媒体に記録されている。但し、ハードウェア（専用回路）で実現してもよい。
【００４２】
知名度元情報受信部１６は、Ｗｅｂ上の１以上のサーバ装置から、地点情報に対応する知名度元情報を受信する。当該地点情報は、地図情報取得部１５が取得した地図情報が有する地点情報である。ただし、当該地点情報は、その他の地点情報であってもよい。また、知名度元情報受信部１６は、知名度元情報を要求することに関する指示である知名度元情報要求指示を、Ｗｅｂ上の１以上のサーバ装置に送信し、当該サーバ装置から、知名度情報を受信してもよい。知名度元情報要求指示は、通常、受信する知名度元情報に対応する地点情報を有する。
【００４３】
Ｗｅｂ上の１上のサーバ装置とは、例えば、検索エンジンを運用するサーバ装置や、ブログやＳＮＳなどのＣＧＭを運用するサーバ装置、その他、要求された知名度元情報を送信するサーバ装置などである。
【００４４】
また、知名度元情報受信部１６による知名度元情報の受信は、地図出力装置１の電源がＯＮになった直後であってもよいし、地図情報取得部１５の地図情報の取得の直後であってもよいし、そのタイミングは問わない。例えば、地図出力装置１の電源がＯＮになった直後に知名度元情報を受信する場合、知名度元情報受信部１６は、通常、地図情報格納部１１に格納されている地図情報が有する１以上の地点情報を取得し、当該地点情報に対応する知名度元情報を受信する。また、例えば、地図情報取得部１５の地図情報の取得の直後に知名度元情報を受信する場合、知名度元情報受信部１６は、通常、地図情報取得部１５が取得した地図情報が有する１以上の地点情報を取得し、当該地点情報に対応する知名度元情報を受信する。
【００４５】
また、知名度元情報受信部１６は、例えば、対応する知名度元情報を受信した地点情報を、任意の記憶領域に蓄積し、当該記憶領域に格納されていない地点情報について、対応する知名度元情報を受信してもよい。また、知名度元情報受信部１６は、例えば、地図情報取得部１５が取得した地図情報を、任意の記憶領域に蓄積し、当該取得した地図情報と、当該取得の直前に蓄積した地図情報とが異なる場合に、当該取得した地図情報が有する地点情報に対応する知名度情報を受信してもよい。また、知名度元情報受信部１６は、例えば、対応する知名度元情報を受信した地点情報、および地図情報取得部１５が取得した地図情報を、任意の記憶領域に蓄積し、当該取得した地図情報と、当該取得の直前に蓄積した地図情報とが異なる場合に、当該記憶領域に格納されていない地点情報について、対応する知名度元情報を受信してもよい。
【００４６】
知名度元情報受信部１６は、通常、無線または有線の通信手段で実現されるが、放送手段や、放送を受信する手段などで実現されてもよい。
【００４７】
知名度管理情報蓄積部１７は、まず、知名度元情報受信部１６が受信した知名度元情報を、知名度元情報から知名度情報への変換方法を示す情報である知名度変換情報を用いて、知名度情報に変換する。そして、知名度管理情報蓄積部１７は、当該知名度情報と、知名度元情報受信部１６が知名度元情報を受信した際に用いた地点情報と対応付けて、知名度管理情報を生成する。そして、知名度管理情報蓄積部１７は、当該知名度管理情報を、知名度管理情報格納部１２に蓄積する。
【００４８】
知名度変換情報は、例えば、知名度元情報から知名度情報への変換式や、知名度元情報と知名度情報とが対応付けられた情報などである。変換式は、例えば、「知名度情報＝知名度元情報÷１０００」や、「知名度情報＝（知名度元情報−ＭＩＮ）／（ＭＡＸ−ＭＩＮ）」などである。この式において、「ＭＩＮ」は、知名度情報格納部１２に格納されている最小の知名度情報を示す記号である。また、「ＭＡＸ」は、知名度情報格納部１２に格納されている最大の知名度情報を示す記号である。
【００４９】
なお、知名度元情報の知名度情報への変換の結果、当該知名度元情報と知名度情報とが、同一になってもよい。また、知名度情報蓄積部１７は、知名度元情報受信部１６が受信した知名度元情報を、知名度情報に変換しなくてもよい。この場合、知名度情報蓄積部１７は、当該知名度元情報を、変換後の知名度情報として処理する。また、知名度情報の蓄積の方法は、問わない。
【００５０】
知名度管理情報蓄積部１７は、通常、ＭＰＵやメモリ等から実現され得る。知名度管理情報蓄積部１７の処理手順は、通常、ソフトウェアで実現され、当該ソフトウェアはＲＯＭ等の記録媒体に記録されている。但し、ハードウェア（専用回路）で実現してもよい。
【００５１】
知名度情報取得部１８は、知名度管理情報格納部１２から、地図情報取得部１５が取得した地図情報が有する１以上の地点情報に対応する知名度情報を取得する。また、知名度情報取得部１８は、受付部１３が受け付けた指示に従い、地図情報格納部１１に格納されている地図情報が有する１以上の地点情報に対応する知名度情報を取得してもよい。
【００５２】
また、知名度情報取得部１８は、例えば、予め決められた閾値以上、または閾値以下の知名度情報を取得してもよい。つまり、知名度情報取得部１８は、例えば、知名度管理情報格納部１２から一時的に知名度情報を取得し、当該知名度情報が閾値以上であるか否かを判断し、閾値以上である場合に、当該知名度情報を取得してもよい。また、知名度情報取得部１８は、例えば、知名度管理情報格納部１２から一時的に知名度情報を取得し、当該知名度情報が閾値以下であるか否かを判断し、閾値以下である場合に、当該知名度情報を取得してもよい。
【００５３】
また、知名度情報取得部１８は、例えば、知名度元情報受信部１６が受信した知名度元情報を取得してもよい。この場合、知名度情報取得部１８は、知名度元情報受信部１６が受信した知名度元情報を、知名度情報に変換する。また、知名度情報取得部１８は、対応する知名度情報を取得した地点情報を、任意の記憶領域に蓄積し、履歴を取り、当該履歴に含まれない地点情報について、対応する知名度情報を取得してもよい。
【００５４】
知名度情報取得部１８は、通常、ＭＰＵやメモリ等から実現され得る。知名度情報取得部１８の処理手順は、通常、ソフトウェアで実現され、当該ソフトウェアはＲＯＭ等の記録媒体に記録されている。但し、ハードウェア（専用回路）で実現してもよい。
【００５５】
出力部１９は、地図情報取得部１５が取得した地図情報と、知名度情報取得部１８が取得した知名度情報とを出力する。このとき、出力部１９は、当該地図情報が有する地点情報と、当該知名度情報とを対応付けて出力する。
【００５６】
「対応付けて出力」とは、どの地点の知名度かがわかるように出力することである。つまり、出力部１９は、例えば、地図情報で示される地図上の地点の付近に、知名度情報を出力する。「付近」とは、例えば、地図情報で示される地図上の地点の周囲、１０ピクセル以内の箇所や、当該地図上の地点から、Ｘ軸方向に５ピクセルの箇所、当該地図上の地点からＹ軸方向にマイナス５ピクセルの箇所などである。また、出力部１９は、例えば、地図情報を出力する領域とは別の領域に、地点情報と知名度情報が対応付いた状態で出力してもよい。
【００５７】
また、出力部１９は、例えば、知名度情報取得部１８が取得した知名度情報の代わりに、知名度元情報受信部１６が受信した知名度元情報を知名度情報に変換し、出力してもよい。この場合、出力部１９は、前述と同様に、出力している地図情報が有する地点情報、または地図情報取得部１５が取得した地図情報が有する地点情報に、当該知名度情報を対応付けて出力する。なお、知名度情報は、地点情報との対応がわかるように出力できればよく、出力の形式などは問わない。
【００５８】
また、出力部１９は、例えば、知名度元情報の知名度情報への変換の処理、または閾値以上または以下の知名度情報の取得の処理を行ってもよい。出力部１９が知名度元情報の知名度情報への変換の処理を行う場合、通常、知名度管理情報蓄積部１７は、知名度元情報を有する知名度管理情報を、知名度管理情報格納部１２に蓄積する。また、出力部１９が閾値以上または以下の知名度情報の取得の処理を行う場合、通常、知名度情報取得部１８は、知名度管理情報格納部１２に格納されている知名度情報を取得する。
【００５９】
出力部１９は、ディスプレイなどの出力デバイスを含むと考えてもよいし、含まないと考えてもよい。出力部１９は、出力デバイスのドライバーソフトまたは、出力デバイスのドライバーソフトと出力デバイスなどで実現され得る。
【００６０】
次に、地図出力装置１の動作について説明する。なお、所定の情報におけるｉ番目の情報は、「情報［ｉ］」と記載するものとする。
【００６１】
図２は、地図出力装置１の全体動作を示すフローチャートである。
【００６２】
（ステップＳ２０１）受付部１３は、指示を受け付けたか否かを判断する。受け付けた場合は、ステップＳ２０２に進み、そうでない場合は、ステップＳ２０４に進む。
【００６３】
（ステップＳ２０２）地図情報取得部１５は、ステップＳ２０１で受け付けた指示が地図出力指示であるか否かを判断する。地図出力指示である場合は、ステップＳ２０４に進み、そうでない場合は、ステップＳ２０３に進む。
【００６４】
（ステップＳ２０３）地図出力装置１は、ステップＳ２０１で受け付けた指示に応じた処理を行い、ステップＳ２０１に戻る。
【００６５】
（ステップＳ２０４）位置情報取得部１４は、位置情報を取得する。
【００６６】
（ステップＳ２０５）地図情報取得部１５は、ステップＳ２０４で取得した位置情報に対応する地図情報を取得する。
【００６７】
（ステップＳ２０６）知名度元情報受信部１６は、ステップＳ２０５で取得した地図情報が有する地点情報に対応する知名度元情報を、Ｗｅｂ上の１以上のサーバ装置から受信する。この処理の詳細は、図３のフローチャートを用いて説明する。
【００６８】
（ステップＳ２０７）知名度管理情報蓄積部１７は、知名度元情報受信部１６による知名度元情報の受信が完了しているか否かを判断する。完了している場合は、ステップＳ２０８に進み、そうでない場合は、ステップＳ２０７に戻る。
【００６９】
（ステップＳ２０８）知名度管理情報蓄積部１７は、ステップＳ２０６で受信した知名度元情報を、知名度情報に変換し、知名度管理情報格納部１２に蓄積する。この処理の詳細は、図４のフローチャートを用いて説明する。
【００７０】
（ステップＳ２０９）知名度情報取得部１８は、ステップＳ２０５で取得した地図情報が有する地点情報に対応する知名度情報を、知名度管理情報格納部１２から取得する。この処理の詳細は、図５のフローチャートを用いて説明する。
【００７１】
（ステップＳ２１０）出力部１９は、ステップＳ２０５で取得した地図情報と、当該地図情報が有する地点情報とステップＳ２０９で取得した知名度情報とを対応付けて出力し、ステップＳ２０１に戻る。
【００７２】
なお、図２のフローチャートにおいて、電源オフや処理終了の割り込みにより処理を終了してもよい。
【００７３】
また、図２のフローチャートにおいて、ステップＳ２０７の処理は、行わなくてもよい。この場合、ステップＳ２０６の処理後は、ステップＳ２０８に進む。
【００７４】
また、図２のフローチャートにおいて、ステップＳ２０６からステップＳ２０８までの処理は、行わなくてもよい。この場合、ステップＳ２０５の処理後は、ステップＳ２０９に進む。
【００７５】
図３は、図２のフローチャートのステップＳ２０６の知名度元情報の受信処理を示すフローチャートである。
【００７６】
（ステップＳ３０１）知名度元情報受信部１６は、ステップＳ２０５で取得した地図情報が有する地点情報を取得する。ここで、ｍ個の地点情報が取得できたものとする。
【００７７】
（ステップＳ３０２）知名度元情報受信部１６は、カウンタｉに１をセットする。
【００７８】
（ステップＳ３０３）知名度元情報受信部１６は、地点情報［ｉ］に対応する知名度元情報を受信するための知名度元情報要求指示を生成する。
【００７９】
（ステップＳ３０４）知名度元情報受信部１６は、生成した知名度元情報要求指示を送信する。
【００８０】
（ステップＳ３０５）知名度元情報受信部１６は、送信した知名度元情報要求指示に応じた知名度元情報を受信したか否かを判断する。受信した場合は、ステップＳ３０６に進み、そうでない場合は、ステップＳ３０５に戻る。
【００８１】
（ステップＳ３０６）知名度元情報受信部１６は、地点情報［ｉ］に対応する知名度元情報［ｉ］に、受信した知名度元情報をセットする。
【００８２】
（ステップＳ３０７）知名度元情報受信部１６は、ｉがｍであるか否かを判断する。ｍである場合は、上位処理にリターンし、そうでない場合は、ステップＳ３０８に進む。
【００８３】
（ステップＳ３０８）知名度元情報受信部１６は、ｉを１インクリメントし、ステップＳ３０３に戻る。
【００８４】
図４は、図２のフローチャートのステップＳ２０８の知名度管理情報の蓄積処理を示すフローチャートである。
【００８５】
（ステップＳ４０１）知名度管理情報蓄積部１７は、ステップＳ２０５で取得した地図情報が有する地点情報を取得する。ここで、ｍ個の地点情報が取得できたものとする。
【００８６】
（ステップＳ４０２）知名度管理情報蓄積部１７は、ステップＳ２０６で取得した知名度元情報を取得する。ここで、ｍ個の知名度元情報が取得できたものとする。なお、当該知名元度情報は、ステップＳ４０１で取得した各地点情報に対応する知名度元情報である。
【００８７】
（ステップＳ４０３）知名度管理情報蓄積部１７は、カウンタｉに１をセットする。
【００８８】
（ステップＳ４０４）知名度管理情報蓄積部１７は、知名度元情報［ｉ］が数値情報であるか否かを判断する。数値情報である場合は、ステップＳ４０５に進み、そうでない場合は、ステップＳ４０７に進む。
【００８９】
（ステップＳ４０５）知名度管理情報蓄積部１７は、知名度元情報［ｉ］が絶対値であるか否かを判断する。絶対値である場合は、ステップＳ４０６に進み、そうでない場合は、ステップＳ４０７に進む。
【００９０】
（ステップＳ４０６）知名度管理情報蓄積部１７は、知名度管理情報格納部１２に格納されている知名度情報を用いて、知名度元情報［ｉ］を相対値に変換し、知名度情報［ｉ］にセットする。
【００９１】
（ステップＳ４０７）知名度管理情報蓄積部１７は、知名度元情報［ｉ］を、知名度情報［ｉ］にセットする。
【００９２】
（ステップＳ４０８）知名度管理情報蓄積部１７は、知名度情報［ｉ］を、地点情報［ｉ］と対応付け、知名度管理情報を生成する。
【００９３】
（ステップＳ４０９）知名度管理情報蓄積部１７は、生成した知名度管理情報を、知名度管理情報格納部１２に蓄積する。
【００９４】
（ステップＳ４１０）知名度管理情報蓄積部１７は、ｉがｍであるか否かを判断する。ｍである場合は、上位処理にリターンし、そうでない場合は、ステップＳ４１１に進む。
【００９５】
（ステップＳ４１１）知名度管理情報蓄積部１７は、ｉを１インクリメントし、ステップＳ４０４に戻る。
【００９６】
なお、図４のフローチャートにおいて、知名度管理情報蓄積部１７は、知名度元情報［ｉ］が数値情報である場合に、知名度元情報［ｉ］を、文字情報や画像情報に変換してもよい。
【００９７】
図５は、図２のフローチャートのステップＳ２０９の知名度情報の取得処理を示すフローチャートである。
【００９８】
（ステップＳ５０１）知名度情報取得部１８は、ステップＳ２０５で取得した地図情報が有する地点情報を取得する。ここで、ｍ個の地点情報が取得できたものとする。
【００９９】
（ステップＳ５０２）知名度情報取得部１８は、知名度管理情報格納部１２に格納されている知名度管理情報を取得する。ここで、ｎ個の知名度管理情報が取得できたものとする。
【０１００】
（ステップＳ５０３）知名度情報取得部１８は、カウンタｉに１をセットする。
【０１０１】
（ステップＳ５０４）知名度情報取得部１８は、カウンタｊに１をセットする。
【０１０２】
（ステップＳ５０５）知名度情報取得部１８は、知名度管理情報［ｊ］が有する地点識別子と、地点情報［ｉ］が有する地点識別子とが、等しいか否かを判断する。等しい場合は、ステップＳ５０６に進み、そうでない場合は、ステップＳ５０７に進む。
【０１０３】
（ステップＳ５０６）知名度情報取得部１８は、地点情報［ｉ］の知名度情報に、知名度管理情報［ｊ］が有する知名度情報をセットする。
【０１０４】
（ステップＳ５０７）知名度情報取得部１８は、ｊがｎであるか否かを判断する。ｎである場合は、ステップＳ５０９に進み、そうでない場合は、ステップＳ５０８に進む。
【０１０５】
（ステップＳ５０８）知名度情報取得部１８は、ｊを１インクリメントし、ステップＳ５０５に戻る。
【０１０６】
（ステップＳ５０９）知名度情報取得部１８は、ｉがｍであるか否かを判断する。ｍである場合は、上位処理にリターンし、そうでない場合は、ステップＳ５１０に進む。
【０１０７】
（ステップＳ５１０）知名度情報取得部１８は、ｉを１インクリメントし、ステップＳ５０４に戻る。
【０１０８】
なお、図５のフローチャートにおいて、知名度管理情報［ｊ］が地点情報を有する場合、知名度情報取得部１８は、知名度管理情報［ｊ］が有する地点情報と、地点情報［ｉ］とが、等しいか否かを判断してもよい。
【０１０９】
（具体例）
次に、地図出力装置１の動作の具体例について説明する。なお、本具体例において、地図出力装置１は、自動車に搭載されているナビゲーション装置（以下、カーナビ）であるものとする。また、知名度管理情報格納部１２には、何も格納されていないものとする。また、位置情報取得部１４は、特に指示がない限りは、常に現在位置情報を取得しているものとする。また、知名度管理情報蓄積部１７は、知名度元情報受信部１６が受信した知名度元情報を相対値に変換後、当該相対値に対応する画像情報を取得し、これらを知名度管理情報格納部１２に蓄積するものとする。
【０１１０】
まず、ユーザが、カーナビの電源をＯＮにしたとする。すると、位置情報取得部１４は、現在位置情報の取得を開始する。位置情報取得部１４は、その後、カーナビの電源がＯＦＦになるまで、常に現在位置情報を取得するものとする。
【０１１１】
次に、地図情報取得部１５は、位置情報取得部１４が現在位置情報の取得を開始したタイミングで、地図情報格納部１１から地図情報を取得する。ここで、地図情報取得部１５は、位置情報取得部１４が取得している現在位置情報のうち、ある瞬間の現在位置情報に対応する地図情報を取得し、図６に示す地図情報を、地図情報格納部１１から取得したものとする。図６の地図情報は、地点名称が「ＸＹＺ石油」、「神戸タワー」、「神戸駅」、「神戸神社」、「神戸の湯」である地点情報を有する。また、当該地点情報は、地点位置情報も有するものとする。
【０１１２】
次に、知名度元情報受信部１６は、図６の地図情報から、図７の地点情報を取得する。また、知名度元情報受信部１６は、図７の各地点名称を有する知名度元情報要求指示を生成し、Ｗｅｂ上の１以上のサーバ装置に送信する。その結果、知名度元情報受信部１６は、図７の各地点名称に対応する知名度元情報として、図８に示す知名度元情報を、Ｗｅｂ上の１以上のサーバ装置から受信したものとする。
【０１１３】
次に、知名度管理情報蓄積部１７は、図８の知名度元情報を、１〜５の５段階の数値（相対値）に変換するとする。変換の際の式は、「相対値＝（知名度元情報−ＭＩＮ）／（ＭＡＸ−ＭＩＮ）×４＋１」を用いる。当該式において、「ＭＩＮ」は、知名度元情報受信部１６が受信した知名度元情報の最小値を示す記号である。また、「ＭＡＸ」は、知名度元情報受信部１６が受信した知名度元情報の最大値を示す記号である。すると、知名度管理情報蓄積部１７は、図９に示す知名度情報を取得する。
【０１１４】
また、ここで、知名度管理情報蓄積部１７が、図１０に示す知名度変換情報である画像変換情報を保持しているとする。当該画像変換情報は、相対値と、当該相対値に対応する画像情報とを有する。すると、知名度管理情報蓄積部１７は、図９の各知名度情報に対応する画像情報を、図１０の画像変換情報から取得する。このとき、知名度管理情報蓄積部１７は、図９の各知名度情報を用いて、図１０の画像変換情報から、当該各知名度情報に対応する画像情報を検索し、取得する。そして、知名度管理情報蓄積部１７は、取得した画像情報と共に、知名度管理情報格納部１２に、知名度情報を蓄積する。ここで、知名度管理情報蓄積部１７は、図１１に示す知名度管理情報を、知名度管理情報格納部１２に蓄積したものとする。
【０１１５】
次に、知名度情報取得部１８は、図７の各地点情報に対応する知名度情報を、図１１の知名度管理情報から取得する。ここで、知名度情報取得部１８は、図１１の知名度管理情報から、画像情報である知名度情報を取得したものとする。すると、出力部１９は、地図情報取得部１５が取得した地図情報と、知名度情報取得部１８が取得した画像情報とを対応付け、図１２に示す地図情報を出力する。
【０１１６】
なお、本具体例において、知名度元情報を、相対値である知名度情報、および画像情報である知名度情報に変換する例を示したが、他の種類の知名度情報に変換してもよい。
【０１１７】
また、本具体例において、カーナビの電源ＯＮに連動して、現在位置情報、および地図情報を取得する例を示したが、カーナビの操作に連動して、現在位置情報、および地図情報を取得してもよい。この場合、通常、受付部１３が地図出力指示を受け付ける。
【０１１８】
また、本具体例において、知名度管理情報格納部１２には何も格納されていない例を示したが、知名度管理情報格納部１２には、知名度管理情報が格納されていてもよい。この場合、知名度管理情報蓄積部１７は、蓄積する知名度管理情報が、既に知名度管理情報格納部１２に格納されているか否かを判断し、格納されていない場合に、蓄積してもよい。
【０１１９】
また、本具体例において、知名度元情報受信部１６が、地図情報取得部１５が取得した地図情報が有する地点情報に対応する知名度元情報を受信する例を示したが、知名度元情報受信部１６は、出力部１９が出力している地図情報が有する地点情報に対応する知名度元情報を受信してもよい。また、知名度元情報受信部１６は、例えば、地図がスクロールされる過程において、出力部１９が新たに出力する地点情報のみについて、対応する知名度元情報を受信してもよい。
【０１２０】
以上、本実施の形態による地図出力装置１によれば、地図情報が有する地点情報と共に、知名度情報を出力することができる。
【０１２１】
また、本実施の形態による地図出力装置１によれば、地点の知名度を、視覚的に出力することができる。
【０１２２】
また、本実施の形態による地図出力装置１によれば、ユーザは、地図上の地点の知名度を、リアルタイムに知ることができる。
【０１２３】
また、本実施の形態による地図出力装置１によれば、地点の知名度を出力することで、ユーザは、目的地設定や目的地検索の際に、地点を選択しやすくなる。
【０１２４】
また、本実施の形態による地図出力装置１によれば、地点の知名度を出力することで、ユーザに対し、当該地点への興味や好奇心を促すことができる。
【０１２５】
なお、本実施の形態において、地図出力装置１は、知名度元情報受信部１６と、知名度管理情報蓄積部１７を備えていなくてもよい。この場合、知名度管理情報格納部１２には、通常、予め知名度管理情報が格納されている。
【０１２６】
また、本実施の形態において、地図出力装置１は、知名度管理情報蓄積部１７と、知名度管理情報格納部１２を備えていなくてもよい。この場合、知名度情報取得部１８は、通常、知名度元情報受信部１６が受信した知名度元情報を取得する。そして、知名度情報取得部１８は、当該知名度元情報を、知名度情報に変換する。
【０１２７】
また、本実施の形態において、地図出力装置１は、受付部１３を備えていなくてもよい。この場合、地図情報取得部１５は、位置情報取得部１４が取得した位置情報に対応する地図情報を取得する。
【０１２８】
また、本実施の形態において、知名度管理情報蓄積部１７は、知名度情報取得手段と、知名度情報蓄積手段とを備えていてもよい。知名度情報取得手段は、知名度元情報受信部１６が受信した知名度元情報を、知名度情報に変換し、知名度情報を取得する。また、知名度情報蓄積手段は、知名度情報取得手段が取得した知名度情報を、知名度元情報受信部１６が知名度元情報を受信した際に用いた地点情報と対応付け、知名度管理情報格納部１２に蓄積する。
【０１２９】
なお、上記実施の形態において、一の装置に存在する２以上の通信手段は、物理的に一の媒体で実現されてもよいことは言うまでもない。
【０１３０】
また、上記実施の形態における地図出力装置は、例えば、スタンドアロンの装置であってもよい。
【０１３１】
また、上記実施の形態において、各処理または各機能は、単一の装置または単一のシステムによって集中処理されることによって実現されてもよいし、あるいは、複数の装置または複数のシステムによって分散処理されることによって実現されてもよい。
【０１３２】
また、上記実施の形態において、各構成要素は専用のハードウェアにより構成されてもよいし、あるいは、ソフトウェアにより実現可能な構成要素については、プログラムを実行することによって実現されてもよい。例えば、ハードディスクや半導体メモリ等の記録媒体に記録されたソフトウェア・プログラムをＣＰＵ等のプログラム実行部が読み出して実行することによって、各構成要素が実現され得る。
【０１３３】
また、上記実施の形態における地図出力装置を実現するソフトウェアは、以下のようなプログラムである。つまり、このプログラムは、記録媒体に、地図に関する情報であり、地図上の地点を示す１以上の地点情報を有する地図情報を格納し得る地図情報と、地点情報と、当該地点情報に対応する知名度を示す情報である知名度情報とを有する知名度管理情報が格納されており、コンピュータを、地図情報を出力する指示である地図出力指示を受け付ける受付部と、位置を示す情報である位置情報を取得する位置情報取得部と、前記記録媒体から、前記地図出力指示、または前記位置情報に対応する地図情報を取得する地図情報取得部と、前記記録媒体から、前記地図情報取得部が取得した地図情報が有する１以上の各地点情報に対応する知名度情報を取得する知名度情報取得部と、前記地図情報取得部が取得した地図情報が有する地点情報と、前記知名度情報取得部が取得した知名度情報とを対応付け、当該地図情報と知名度情報とを出力する出力部として機能させるためのプログラムである。
【０１３４】
なお、上記プログラムにおいて、情報を送信する送信ステップや、情報を受信する受信ステップなどでは、ハードウェアでしか行われない処理、例えば、送信ステップにおけるモデムやインターフェースカードなどで行われる処理は少なくとも含まれない。
【０１３５】
また、上記プログラムは、サーバなどからダウンロードされることによって実行されてもよいし、所定の記録媒体（例えば、ＣＤ−ＲＯＭなどの光ディスクや磁気ディスク、半導体メモリなど）に記録されたプログラムが読み出されることによって実行されてもよい。また、このプログラムは、プログラムプロダクトを構成するプログラムとして用いられてもよい。
【０１３６】
また、上記プログラムを実行するコンピュータは、単数であってもよいし、複数であってもよい。つまり、集中処理を行ってもよいし、あるいは分散処理を行ってもよい。
【０１３７】
また、図１３は、前述のプログラムを実行して、前述の実施の形態の地図出力装置等を実現するコンピュータシステム９の概観図である。前述の実施の形態は、コンピュータハードウェア及びその上で実行されるコンピュータプログラムで実現され得る。
【０１３８】
図１３において、コンピュータシステム９は、ＣＤ−ＲＯＭ（Ｃｏｍｐａｃｔ  Ｄｉｓｋ  Ｒｅａｄ  Ｏｎｌｙ  Ｍｅｍｏｒｙ）ドライブ９０１１、ＦＤ（Ｆｌｅｘｉｂｌｅ  Ｄｉｓｋ）ドライブ９０１２を含むコンピュータ９０１と、キーボード９０２と、マウス９０３と、モニタ９０４とを備える。
【０１３９】
図１４は、コンピュータシステム９のブロック図である。図１４において、コンピュータ９０１は、ＣＤ−ＲＯＭドライブ９０１１、ＦＤドライブ９０１２に加えて、ＣＰＵ（Ｃｅｎｔｒａｌ  Ｐｒｏｃｅｓｓｉｎｇ  Ｕｎｉｔ）９０１３と、ブートアッププログラム等のプログラムを記憶するためのＲＯＭ（Ｒｅａｄ−Ｏｎｌｙ  Ｍｅｍｏｒｙ）９０１４と、ＣＰＵ９０１３に接続され、アプリケーションプログラムの命令を一時的に記憶するとともに一時記憶空間を提供するためのＲＡＭ（Ｒａｎｄｏｍ  Ａｃｃｅｓｓ  Ｍｅｍｏｒｙ）９０１５と、アプリケーションプログラム、システムプログラム、及びデータを記憶するためのハードディスク９０１６と、ＣＤ−ＲＯＭドライブ９０１１、ＦＤドライブ９０１２、ＣＰＵ９０１３等を相互に接続するバス９０１７とを備える。ここでは図示しないが、コンピュータ９０１は、さらに、ＬＡＮへの接続を提供するネットワークカードを備えていてもよい。
【０１４０】
コンピュータシステム９に、前述の実施の形態の地図出力装置等の機能を実行させるプログラムは、ＣＤ−ＲＯＭ９１０１、またはＦＤ９１０２に記憶されて、ＣＤ−ＲＯＭドライブ９０１１またはＦＤドライブ９０１２に挿入され、さらにハードディスク９０１６に転送されてもよい。これに代えて、プログラムは、図示しないネットワークを介してコンピュータ９０１に送信され、ハードディスク９０１６に記憶されてもよい。プログラムは実行の際にＲＡＭ９０１５にロードされる。プログラムは、ＣＤ−ＲＯＭ９１０１、ＦＤ９１０２またはネットワークから直接、ロードされてもよい。
【０１４１】
プログラムは、コンピュータ９０１に、前述の実施の形態の地図出力装置等の機能を実行させるオペレーティングシステム（ＯＳ）、またはサードパーティープログラム等は、必ずしも含まなくてもよい。プログラムは、制御された態様で適切な機能（モジュール）を呼び出し、所望の結果が得られるようにする命令の部分のみを含んでいればよい。コンピュータシステム９がどのように動作するかは周知であり、詳細な説明は省略する。
【０１４２】
本発明は、以上の実施の形態に限定されることなく、種々の変更が可能であり、それらも本発明の範囲内に包含されるものであることは言うまでもない。
【産業上の利用可能性】
【０１４３】
以上のように、本発明にかかる地図出力装置は、地点情報と共に知名度情報を出力することができるという効果を有し、ナビゲーション機能を有する車載装置や携帯端末等として有用である。
【符号の説明】
【０１４４】
１  地図出力装置
１１  地図情報格納部
１２  知名度管理情報格納部
１３  受付部
１４  位置情報取得部
１５  地図情報取得部
１６  知名度元情報受信部
１７  知名度管理情報蓄積部
１８  知名度情報取得部
１９  出力部
【図１】
2012234133.tif 000003
【図２】
2012234133.tif 000004
【図３】
2012234133.tif 000005
【図４】
2012234133.tif 000006
【図５】
2012234133.tif 000007
【図６】
2012234133.tif 000008
【図７】
2012234133.tif 000009
【図８】
2012234133.tif 000010
【図９】
2012234133.tif 000011
【図１０】
2012234133.tif 000012
【図１１】
2012234133.tif 000013
【図１２】
2012234133.tif 000014
【図１３】
2012234133.tif 000015
【図１４】
2012234133.tif 000016